(57)【要約】      （修正有）【課題】使用者が入力情報を確実に理解できるための情報入出力システムを提供する。【解決手段】情報入出力システム１０は、所定の情報を入力可能な入力装置１２と、入力装置１２で入力された入力情報に基づいて振動パターンを特定した出力情報を生成する制御装置１４と、制御装置１４からの出力情報に基づいて振動する出力装置１６と、を有し、入力された情報に対応した振動が与えられることで、入力された情報の内容を容易かつ確実に把握することができ、特に視覚障害者にとっても、例えば２点式体表点字で入力された情報に合致して出力装置１６の振動子１６ａが振動することで入力情報を容易に理解することができる。【選択図】図１
0003213345.tif 000002
【実用新案登録請求の範囲】
【請求項１】
所定の情報を入力可能な入力装置と、
前記入力装置で入力された入力情報に基づいて振動パターンを特定した出力情報を生成する制御装置と、
前記制御装置からの出力情報に基づいて振動する出力装置と、
を有することを特徴とする情報入出力システム。
【請求項２】
前記制御装置は、前記入力装置から出力された前記入力情報に対応した振動パターンを特定するための振動パターンテーブルを記憶する記憶部と、前記入力情報に基づいて前記振動パターンテーブルを指定し、当該指定した前記パターンテーブルの振動パターンを含んだ出力信号を生成する制御部と、を有し、
前記出力装置は、前記制御装置から出力された前記出力信号に含まれる振動パターンに基づいて振動する振動子を有することを特徴とする請求項１に記載の情報入出力システム。
【請求項３】
前記出力装置は、所定の発光パターンで発光する発光素子を有し、
前記制御部は、前記振動子が振動している時間にわたって所定の前記発光パターンで前記発光素子が発光するように前記振動パターンに前記発光パターンを含めた前記出力信号を生成し、
前記振動子が前記振動パターンに基づいて振動し、同時に前記発光素子が前記発光パターンに基づいて発光することを特徴とする請求項２に記載の情報入出力システム。
【請求項４】
前記振動子は、第１振動子と、第２振動子と、を有し、
前記発光素子は、前記第１振動子に対応して所定の色を発光する第１発光素子と、前記第２振動子に対応して所定の色を発光する第２発光素子と、を有し、
前記発光パターンは、前記第１振動子が振動する時間に同期させて発光する第１発光パターンと、前記第２振動子が振動する時間に同期させて発光する第２発光パターンと、の各命令要素を含むことを特徴とする請求項３に記載の情報入出力システム。
【請求項５】
前記入力装置は、端末装置であり、
前記出力装置は、身体に装着可能なウェアラブル機器であることを特徴とする請求項１乃至４のいずれか１項に記載の情報入出力システム。
【請求項６】
前記出力情報が無線を介して前記出力装置に対して出力可能な無線送受信部を有することを特徴とする請求項１乃至５のいずれか１項に記載の情報入出力システム。
【考案の詳細な説明】
【技術分野】
【０００１】
本考案は、例えば、点字入力や文字入力を入力し、当該入力情報に対応した振動パターンで出力できる情報入出力システムに関する。
【背景技術】
【０００２】
最近では表示画面にタッチパネルを採用し、このタッチパネルへの手指の接触により基本操作を行う携帯通信機器やモバイル機器が人気を博している。このような接触式の入力部を用いて基本操作を行う機器は、平滑な入力パネル面に操作キーが表示され、その表示を視認して操作等を行うようになっている。このため視覚障害者にとっては障壁の高い機器といえるが、このような障壁の高い機器であっても健常者と同じ機器を使いたいという視覚障害者も多く存在する。
【０００３】
これを受けて、従来の点字式墨字入力方法として、指示物の接触により入力が可能な入力パネル面の縁部近傍に点字のドット配列に対応した複数の点字入力領域を設定するステップと、指示物が前記入力パネル面に接触してから離れるまでを１ストロークとして、１ストローク内で通過した点字入力領域を認識するとともに、指示物が入力パネル面から離れたことを感知して１ストロークの点字入力認識動作を確定するステップと、１ストロークで通過した点字入力領域と対応する点字を特定するステップと、特定した点字が前置符か否かを判別するステップと、特定した点字が前置符以外の場合、特定された点字を墨字に変換するステップと、特定した点字が前置符の場合、２ストローク入力モードに移行して、指示物が入力パネル面に接触してから離れるまでを２ストローク目として、２ストローク目で通過した点字入力領域を認識するとともに、指示物が入力パネル面から離れたことを感知して前記２ストローク目の点字入力認識動作を確定し、直前に入力された前置符の内容を加味した上で、２ストローク目で通過した点字入力領域と対応する点字を特定し、特定した点字を墨字に変換するステップと、変換した墨字の読み上げを行うステップと、を有する方式が知られている（特許文献１参照）。
【０００４】
これにより、接触式の入力部の入力パネル面に点字のドット配列に対応した点字入力領域を設け、指示物が入力パネル面に接触してから離れるまでに通過した点字入力領域を認識することで点字入力を行う。このため、より高速且つ効率的な点字入力を行うことができる。
【先行技術文献】
【特許文献】
【０００５】
【特許文献１】特許第５６５２８７１号特許公報
【特許文献２】特開２０１３−９３００７号公開公報
【特許文献３】特開平６−４３８０３号公開公報
【考案の概要】
【考案が解決しようとする課題】
【０００６】
ところが、上記特許文献１では、例えば、音声データと音声プログラムを記録部で記録させておき、これを用いた墨字の読み上げが実行される。このため、音声出力による周囲の騒音の問題が生じ、ヘッドフォンで騒音をある程度防止することもできるが、ヘッドフォンを装着する手間や不快感が残る。
【０００７】
そこで、本考案は、上記問題を解決するためのものであり、使用者が入力情報を確実に理解できるための情報入出力システムを提供することを目的とする。
【課題を解決するための手段】
【０００８】
本考案は、所定の情報を入力可能な入力装置と、前記入力装置で入力された入力情報に基づいて振動パターンを特定した出力情報を生成する制御装置と、前記制御装置からの出力情報に基づいて振動する出力装置と、を有する情報入出力システムである。
【０００９】
この場合、前記制御装置は、前記入力装置から出力された前記入力情報に対応した振動パターンを特定するための振動パターンテーブルを記憶する記憶部と、前記入力情報に基づいて前記振動パターンテーブルを指定し、当該指定した前記パターンテーブルの振動パターンを含んだ出力信号を生成する制御部と、を有し、前記出力装置は、前記制御装置から出力された前記出力信号に含まれる振動パターンに基づいて振動する振動子を有することが好ましい。
【００１０】
この場合、前記出力装置は、所定の発光パターンで発光する発光素子を有し、前記制御部は、前記振動子が振動している時間にわたって所定の前記発光パターンで前記発光素子が発光するように前記振動パターンに前記発光パターンを含めた前記出力信号を生成し、前記振動子が前記振動パターンに基づいて振動し、同時に前記発光素子が前記発光パターンに基づいて発光することが好ましい。
【００１１】
この場合、前記振動子は、第１振動子と、第２振動子と、を有し、前記発光素子は、前記第１振動子に対応し所定の色を発光する第１発光素子と、前記第２振動子に対応し所定の色を発光する第２発光素子と、を有し、前記発光パターンは、前記第１振動子が振動する時間に同期させて発光する第１発光パターンと、前記第２振動子が振動する時間に同期させて発光する第２発光パターンと、の各命令要素を含むことが好ましい。当然ながら、第１発光素子と第２発光素子が異なる色を発光してもよい。
【００１２】
この場合、前記入力装置は、端末装置であり、前記出力装置は、身体に装着可能なウェアラブル機器であることが好ましい。
【００１３】
この場合、前記出力情報が無線を介して前記出力装置に対して出力可能な無線送受信部を有することが好ましい。
【考案の効果】
【００１４】
本考案によれば、入力された情報に対応した振動が与えられることで、入力された情報の内容を容易かつ確実に把握することができる。
【００１５】
特に、視覚障害者にとっても、例えば２点式体表点字で入力された情報に合致して出力装置の振動子が振動することで入力情報を容易に理解することができる。
【００１６】
健常者にとっては、出力装置の発光素子が振動子の振動に同期して発光することで振動子の駆動状況を瞬時に把握することができる。
【図面の簡単な説明】
【００１７】
【図１】本考案の一実施形態の情報入出力システムのシステム構成図である。
【図２】本考案の一実施形態の情報入出力システムの出力装置の振動子の構成図である。
【図３】本考案の一実施形態の情報入出力システムの出力装置の発光素子の構成図である。
【図４】本考案の一実施形態の情報入出力システムの入力装置における入力位置と出力装置における振動子・発光素子との対応関係を示した図である。
【図５】本考案の一実施形態の情報入出力システムを用いて情報入出力フローを示した説明図である。
【考案を実施するための形態】
【００１８】
本考案の一実施形態に係る情報入出力システムについて、図面を参照して説明する。
【００１９】
図１乃至図５に示すように、情報入出力システム１０は、主として、所定の情報を入力可能な入力装置１２と、入力装置１２で入力された入力情報に基づいて振動パターンを特定した出力情報を生成する制御装置１４と、制御装置１４からの出力情報に基づいて振動する出力装置１６と、を含んで構成される。
【００２０】
ここで、入力装置１２と制御装置１４は、一体に構成されていてもよく、又は別体で構成されていてもよい。
【００２１】
入力装置１２と制御装置１４との間、制御装置１４と出力装置１６との間における信号又はデータの送受信は、無線で実行されることが好ましいが、ケーブルで接続して有線で送受信してもよい。
【００２２】
入力装置１２は、表示部１２ａと、入力部１２ｂと、入力制御部１２ｃと、を含んで構成されている。
【００２３】
入力装置１２は、例えば、端末装置であり、スマートフォンなどの携帯電話装置などが利用され得る。
【００２４】
表示部１２ａは、所定の表示領域を有した、タッチパネル式の液晶表示手段が用いられる。
【００２５】
入力部１２ｂは、例えばテンキー入力やキーボード入力などの文字入力が可能な入力手段が用いられる。
【００２６】
入力部１２ｂからの入力方式は、文字類をテンキー入力する文字入力方式でもよく、視覚障害者が体得している点字入力方式で入力してもよい。点字入力方式は、表示部１２ａに指を接触することにより入力可能になる。詳細には、特許文献１の特許公報（特許第５６５２８７１号特許公報）に記載されているように、手指等の指示体が表示部１２ａの入力パネル面に接触してから離されるまでを１ストロークとし、１ストロークが終了するまでの間に通過した点字入力領域を認識することで点字入力を行う。これにより、高速かつ効率的な点字入力が可能になる。
【００２７】
入力制御部１２ｃは、入力部１２ｂにより入力した情報を適宜変換して表示部１２ａに表示させるためのＣＰＵ等が該当する。
【００２８】
入力装置１２で入力された入力情報（入力信号）は、有線又は無線によって制御装置１４に送信（出力）される。
【００２９】
制御装置１４は、記憶部１４ａと、制御部１４ｂと、を含んでいる。
【００３０】
記憶部１４ａは、入力装置１２から出力された入力情報に対応した振動パターンを特定するためのパターンテーブルを記憶する。
【００３１】
記憶部１４ａは、例えば、ＲＯＭ又は／及びＲＡＭで構成されている。
【００３２】
制御部１４ｂは、入力情報に基づいて記憶部１４ａに記憶されているパターンテーブルを指定し、当該指定したパターンテーブルの振動パターンを含んだ出力信号を生成する。
【００３３】
制御装置１４は、生成した出力信号を出力装置１６に送信する。
【００３４】
なお、パターンテーブルは、入力情報と振動パターンとの対応関係を特定したテーブルである。また、このパターンテーブルに、発光素子１６ｂの発光パターンに関する情報を含めてもよい。
【００３５】
例えば、入力装置１２で「ありがとう」という情報が入力された場合には、出力装置１６で「ありがとう」を出力するための振動パターンが選択される。これにより、出力装置１６の振動子１６ａは、制御装置１４で選択された振動パターンに基づいて振動する。
【００３６】
ここで、制御部１４ｂは、振動パターンに関する情報を含んだテーブルに、出力装置１６で発光素子１６ｂが発光するための発光パターンに関する情報を含めてもよい。例えば、出力装置１６の振動子１６ａが振動している時間にわたって所定の発光パターンで発光素子１６ｂが発光するように、振動パターンに発光パターンを含めた出力信号を生成する場合である。
【００３７】
これにより、出力装置１６の振動子１６ａの振動と発光素子１６ｂの発光を同期かつ対応させることができる。
【００３８】
制御部１４ｂは、例えば、ＣＰＵ及びＲＡＭで構成されている。
【００３９】
出力装置１６は、振動子１６ａと、発光素子１６ｂと、を含んでいる。
【００４０】
出力装置１６は、例えば、ウェアラブル機器で構成され、一例として手首につけるブレスレットや耳たぶにつけるものなど、身体の一部に装着できることが好ましい。
【００４１】
振動子１６ａは、所定の振動パターンで振動する。振動子１６ａは、従来から周知の振動子が用いられる。
【００４２】
なお、振動パターンは、制御装置１４の記憶部１４ａに記憶されている。
【００４３】
発光素子１６ｂは、所定の発光パターンで発光する。発光素子１６ｂは、例えばＬＥＤが用いられる。
【００４４】
発光パターンは、制御装置１４の記憶部１４ａに記憶されている。振動パターンと発光パターンを別々のテーブルで規定してもよく、また１つのテーブルに振動と発光に関する情報を含めてもよい。後者では、振動パターンの情報に発光させるタイミング情報を含めるようにしてもよい。
【００４５】
ここで、図２及び図４に示すように、振動子１６ａは、例えば、第１振動子１６ａ１と、第２振動子１６ａ２と、を有している。
【００４６】
例えば、入力方式として、１マスＭ中に６点の検知部を配置し、左列の最上位の点が「１の点」であり、その下が「２の点」、「３の点」となり、右列の最上位の点が「４の点」であり、その下が「５の点」、「６の点」となる点字方式が採用される。この場合、左列の「１の点」、「２の点」、「３の点」が第１振動子１６ａ１に対応し、右列の「４の点」、「５の点」、「６の点」が第２振動子１６ａ２に対応している。このため、左列の「１の点」、「２の点」、「３の点」の入力を出力するときには第１振動子１６ａ１が振動し、右列の「４の点」、「５の点」、「６の点」の入力を出力するときには第２振動子１６ａ２が振動する。
【００４７】
図３に示すように、発光素子１６ｂは、例えば、第１振動子１６ａ１に対応する第１発光素子１６ｂ１と、第２振動子１６ａ２に対応する第２発光素子１６ｂ２と、を有している。
【００４８】
第１発光素子１６ｂ１の発光色と第２発光素子１６ｂ２の発光色は、相互に異なる色であることが振動中の振動子１６ａを区別するうえで好ましい。当然ながら、第１発光素子１６ｂ１と第２発光素子１６ｂ２が同じ色を発光してもよい。
【００４９】
例えば、第１振動子１６ａ１が振動している時間にわたって第１発光素子１６ｂ１が発光し、第２振動子１６ａ２が振動している時間にわたって第２発光素子１６ｂ２が発光する。
【００５０】
第１発光素子１６ｂ１及び第２発光素子１６ｂ２は、所定の発光パターンに基づいて発光するが、第１発光素子１６ｂ１は、第１振動子１６ａ１が振動する時間に同期させて発光する第１発光パターンに基づいて発光し、第２発光素子１６ｂ２は、第２振動子１６ａ２が振動する時間に同期させて発光する第２発光パターンに基づいて発光する。
【００５１】
このため、第１振動子１６ａ１が振動しているときに第１発光素子１６ｂ１が発光しているため、出力装置１６を装着している者以外の第三者が、第１振動子１６ａ１が振動中であることを第１発光素子１６ｂ１の発光の有無を見て判別できる。
【００５２】
また、第２振動子１６ａ２が振動しているときに第２発光素子１６ｂ２が発光しているため、出力装置１６を装着している者以外の第三者が、第２振動子１６ａ２が振動中であることを第２発光素子１６ｂ２の発光の有無を見て判別できる。
【００５３】
なお、６点の点字入力に対応させて、振動子を６点に配置し、入力部の各点の入力点に対応した振動子を入力部の入力状況に応じて振動させるようにしてもよい（入力点：振動子＝１対１）。
【００５４】
また、振動子１６ａに替えて、骨伝導を利用した出力手段、電流や熱等の出力手段を用いて、入力情報に対応した出力パターンで出力してもよい。特に電流は、電気刺激の低周波治療器の電流で出力してもよい。
【００５５】
入力装置１２で所定の入力情報（例えば「こんにちは」）が入力された場合に、２点式体表点字で「コンニチハ」を示すように振動子１６ａが振動し、これと同期して発光素子１６ｂが発光する。
【００５６】
具体的には、図４に示すように、入力装置１２の表示部１２ａの１マスＭの四隅の位置を点字の４点、１（左上）、３（左下）、４（右上）、６（右下）の点に見立て、１と３、４と６の辺の中間に２の点および５の点を置き、これら６つの点全体を点字の１マスＭと見立て、入力したい点字の点をなぞることで文字を入力できる。
【００５７】
例えば、表示部１２ａ上の左上１の点は点字の「あ」である。この点に指が触れると、ブルッと入力装置１２が振動し、そこで手を表示部１２ａから離すと「あ」が入力される。点字の「い」は１の点と２の点である。１の点の振動を感じてから、そのまま表示部１２ａ上で指をずらして２の点まで移動し、入力装置１２の振動を感じてから指を表示部１２ａから離すと、「い」が入力される。６点すべてをなぞってから指を離すと、点字の「め」が入力される。表示部１２ａの画面に指を触れてから離すまでに通過した点情報を文字に変換する。６点間を通る経路は自由であり、何回同じ点を通ってもかまわない。これが入力装置１２における入力時の基本原理である。
【００５８】
入力装置１２で入力された情報は、制御装置１４の制御部１４ｂによって、指が触れた点字に対応した振動子１６ａを振動させる振動パターンを含む出力信号が生成され、無線で出力装置１６に対して送信される。これにより、出力装置１６の所定の振動子１６ａが所定の振動パターンで振動する。
【００５９】
例えば、図４に示すように、第１振動子１６ａ１は左列の点字の１、２、３の点に対応している。第２振動子１６ａ２は右列の点字の４、５、６の点に対応している。ある点に接触すると、当該点に対応する振動子１６ａ１（１６ａ２）が、長く「ブー」と振動し、点に接触されなければ短く「トン」と振動する。このため、例えば、左列の点字の１のみに触れられると、第１振動子１６ａ１が長、短、短と「ブー、トン、トン」と振動する。また、左列の１の点と右列の４の点に触れられると第１振動子１６ａ１及び第２振動子１６ａ２のはじめに長く「ブー」と振動し、次に、第１振動子１６ａ１だけが「トン、トン」と短く振動する。
【００６０】
このようにして、入力装置１２の表示部１２ａでどの点が触れられたのかを出力装置１６の振動子１６ａの振動パターンに変化を持たせることで入力情報を容易に把握することができる。
【００６１】
特に、６点の入力点に対して、左列の振動子１６ａ１と右列の振動子１６ａ２を設けたが、６点の入力点を上から上段、中段、下段とわけて、上段かに中段、そして下段と順に振動させていく振動パターンが採用される。これにより、入力内容が把握し易くなる。
【００６２】
ここで、第１振動子１６ａ１が振動している時間にわたって第１発光素子１６ｂ１が所定の発光色及び発光パターンで発光する。また、第２振動子１６ａ２が振動している時間にわたって第２発光素子１６ｂ２が所定の発光色及び発光パターンで発光する。これにより、各振動子が振動していることを視覚によって認識することができる。例えば、視覚障害者に装着した振動子１６ａが駆動しているか否かについて、健常者が発光素子１６ｂの発光を確認することで容易に瞬時に知ることができる。たとえ視覚障害者が入力情報を把握できないときに、システムの故障なのか、視覚障害者の認知力が原因なのかを容易に特定することができる。
【００６３】
また、入力装置１２の表示部１２ａには、図４に示すように、１マスＭの位置が特定するためのシール部材１８を貼り付けてもよい。これにより、視覚障害者にとれば、１マスＭの位置をシール部材１８に触れることで容易に特定することができる。１マスＭの位置には６つの点が内在しているため、各点の相対位置や距離感を把握することができる。
【００６４】
なお、シール部材１８は接着により表示部１２ａに貼り付けられるため、いったん貼り付けた後においても、表示部１２ａから容易に取り外すことができ、再度、表示部１２ａの別の位置に貼り付けることも可能である。
【００６５】
次に、本考案の一実施形態に係る情報入出力システム１０を用いた情報入出力フローを説明する。
【００６６】
図５に示すように、情報入出力フローは、主として、情報入力ステップＳ１００と、振動パターン特定ステップＳ２００と、振動出力ステップＳ３００と、を有する。
【００６７】
情報入力ステップＳ１００では、入力装置１２で所定の情報を入力するプロセスである。入力方式は、文字入力又は点字入力でもよく、限定されるものではない。
【００６８】
ここで、入力された情報は入力制御部１２ｃによって表示部１２ａに表示されるとともに、入力内容を示す入力情報を含んだ入力信号が生成される。入力信号は、有線又は無線により、入力装置１２から制御装置１４に送信される。
【００６９】
振動パターン特定ステップＳ２００では、制御装置１４の制御部１４ｂが入力信号を分析し、当該入力情報に合致した振動子１６ａの振動パターンを規定するパターンテーブルを記憶部１４ａに格納されたテーブル群の中から選択する。
【００７０】
このとき、発光素子１６ｂが発光する発光パターンに関する情報をパターンテーブルに含めてもよい。発光素子１６ｂが振動子１６ａの振動に同期させて発光するタイミングや、発光素子１６ｂと振動子１６ａの対応関係（どの振動子が振動したときに発光するのかを示した内容）を示す情報が含まれる。
【００７１】
これにより、制御装置１４において、振動パターン又は／及び発光パターンを特定した出力情報を含んだ出力信号が生成される。出力信号は、有線又は無線により、制御装置１４から出力装置１６に送信される。
【００７２】
振動出力ステップＳ３００では、出力信号に基づいて振動子１６ａが振動するとともに、発光素子１６ｂが発光する。振動子１６ａの振動は、使用者の身体に作用して、振動パターンを感じ取ることで入力情報を容易に把握することができる。また、発光素子１６ｂが振動子の振動に同期させて発光することで、第三者は発光素子１６ｂの発光を確認することで振動子１６ａの駆動状態を瞬時に把握することができる。
【００７３】
なお、上記構成は、本考案の一実施形態を示したものであり、実用新案登録請求の範囲が上記構成に限定される趣旨ではない。本考案の技術的思想が権利範囲として保護されるべきであるところ、当業者による設計変更程度は、本実用新案登録請求の範囲に含まれるべきものである。
【符号の説明】
【００７４】
１０      情報入出力システム
１２      入力装置
１２ａ    表示部
１２ｂ    入力部
１２ｃ    入力制御部
１４      制御装置
１４ａ    記憶部
１４ｂ    制御部
１６      出力装置
１６ａ    振動子
１６ａ１  第１振動子
１６ａ２  第２振動子
１６ｂ    発光素子
１６ｂ１  第１発光素子
１６ｂ２  第２発光素子
１８      シール部材
【図１】
0003213345.tif 000003
【図２】
0003213345.tif 000004
【図３】
0003213345.tif 000005
【図４】
0003213345.tif 000006
【図５】
0003213345.tif 000007